(57)【要約】【課題】  実用的に動作する周波数帯域を広帯域化する。【解決手段】  ループアンテナ５は、矩形状の外側のループ素子と、外側のループ素子より小型とされた矩形状の内側のループ素子からなる双ループ素子５ａを備えている。双ループ素子５ａの給電点５ｃをほぼ中心とする辺に対向すると共に、当該辺に近接して導電性の直線状とされた無給電素子５ｂが配置されている。これにより、高域における特性が格段に向上されて実用的に動作する周波数範囲を広帯域化することができる。【選択図】  図１７
2006295545.tif 000002
【特許請求の範囲】
【請求項１】
ほぼ中央に給電点が設けられているループ素子と、
該ループ素子の前記給電点をほぼ中心として、該ループ素子に近接して配置された無給電素子と、
を備えることを特徴とするループアンテナ。
【請求項２】
第１のループ素子と、該第１のループ素子より動作周波数帯域が高くなるよう一回り小さく形成されている第２のループ素子とを有し、前記第１のループ素子と前記第２のループ素子との給電点が共通とされている双ループ素子と、
該双ループ素子の前記給電点をほぼ中心として、該双ループ素子に近接して配置された無給電素子と、
を備えることを特徴とするループアンテナ。
【請求項３】
前記無給電素子が導電線により構成されていることを特徴とする請求項１または２記載のループアンテナ。
【請求項４】
前記無給電素子が板状の導電体により構成されていることを特徴とする請求項１または２記載のループアンテナ。
【請求項５】
前記ループ素子の前記給電点をほぼ中心として、前記無給電素子および前記ループ素子に近接して配置された第２の無給電素子が設けられていることを特徴とする請求項１または２記載のループアンテナ。
【請求項６】
前記ループ素子の前記給電点をほぼ中心として、前記無給電素子および前記ループ素子に近接して配置された第２の無給電素子が設けられており、
前記無給電素子と前記ループ素子との間隔と、前記第２の無給電素子と前記ループ素子との間隔とが異なる間隔とされていることを特徴とする請求項１または２記載のループアンテナ。
【請求項７】
前記無給電素子とで前記ループ素子の前記給電点をほぼ中心とする前記ループ素子を挟むよう近接して配置された第２の無給電素子が設けられていることを特徴とする請求項１または２記載のループアンテナ。
【請求項８】
第１のループ素子と、該第１のループ素子と同形状の第２のループ素子とを有し、前記第１のループ素子と前記第２のループ素子との給電点が共通とされている双ループ素子と、
該双ループ素子の前記給電点をほぼ中心として、該双ループ素子に近接して配置された無給電素子と、
を備えることを特徴とするループアンテナ。
【請求項９】
第１のループ素子と、該第１のループ素子より動作周波数帯域が高くなるよう一回り小さく形成されている第２のループ素子からなる双ループ素子を備え、
前記第１のループ素子の一端と前記第２のループ素子の一端とを接続する第１接続部と、前記第１のループ素子の他端と前記第２のループ素子の他端とを接続する第２接続部とが給電点とされていると共に、前記第１接続部と前記第２接続部とが電磁気的に結合していることを特徴とするループアンテナ。
【請求項１０】
前記第１接続部と前記第２接続部とがコイル状に形成されて電磁気的に結合していることを特徴とする請求項９記載のループアンテナ。
【請求項１１】
前記第１接続部に形成された第１コイル部と、前記第２接続部に形成された第２コイル部とが対向して配置されて電磁気的に結合していることを特徴とする請求項９記載のループアンテナ。
【請求項１２】
前記第１接続部に形成された第１コイル部と、前記第２接続部に形成された第２コイル部とが重なるように配置されて電磁気的に結合していることを特徴とする請求項９記載のループアンテナ。
【請求項１３】
前記双ループ素子の前記給電点をほぼ中心として、該双ループ素子に近接して配置された無給電素子を備えることを特徴とする請求項９ないし１２のいずれかに記載のループアンテナ。
【発明の詳細な説明】
【技術分野】
【０００１】
本発明は、室内で使用するのに適したループアンテナに関する。
【背景技術】
【０００２】
ＵＨＦ帯におけるテレビ放送は１３ｃｈ（４７０ＭＨｚ）ないし６２ｃｈ（７７０ＭＨｚ）で行われており、このＵＨＦ帯を受信するアンテナの一つとしてループアンテナが知られている。ループアンテナは形状を小型化することができるため、室内用のＵＨＦ帯のアンテナとして好適なアンテナとなる。このようなループアンテナの一例を図１０２および図１０３に示す。図１０２は従来のループアンテナ１００の構成を示す正面図であり、図１０３は従来のループアンテナ１００の側面図である。これらの図に示すループアンテナ１００は、矩形状のループ素子１００ａを備えその１辺の中央部が外側に折曲されて、その先端が給電点１００ｂとされている。このループ素子の幅ｗを約１５０ｍｍ、高さｈを約１５０ｍｍ、給電点１００ｂ間の間隔ｄを約１０ｍｍとした際のゲインの周波数特性を図１０４に示し、反射損失の周波数特性を図１０５に示す。図１０４および図１０５に示す周波数特性における周波数範囲は４７０ＭＨｚ（１３ｃｈ）〜７７０ＭＨｚ（６２ｃｈ）のＵＨＦ帯とされており、これらの図を参照すると、約５００ＭＨｚにおいて最も特性が良好となっており、５００ＭＨｚの１波長がループ素子１００ａの長さにほぼ相当していることから、図１０２および図１０３に示すループアンテナ１００は１波長のアンテナとして動作していることが分かる。なお、ゲインの周波数特性における横軸のゲインの単位ｄＢｄは、アンテナの利得を完全半波長アンテナ（絶対利得２．１５ｄＢｉ）との比で表す単位である。
【０００３】
また、従来のループアンテナの他の例を図１０６に示す。図１０６に示す従来のループアンテナ１０１は、ひし形のループ素子１０１ａを備え１つの頂点から外側に折曲されて、その先端が給電点１０１ｂとされている。このループ素子１０１ａの１辺を約１５０ｍｍとしてループ素子１０１ａの長さを約６００ｍｍとすると共に、給電点１０１ｂ間の間隔を約１０ｍｍとした際のゲインの周波数特性を図１０７に示し、反射損失の周波数特性を図１０８に示す。図１０７および図１０８に示す周波数特性における周波数範囲は４７０ＭＨｚ（１３ｃｈ）〜７７０ＭＨｚ（６２ｃｈ）のＵＨＦ帯とされており、これらの図を参照すると、図１０６に示すループアンテナ１０１は１波長のアンテナとして動作しており、ループアンテナ１００より若干電気的特性が良好になっていることが分かる。
【０００４】
さらに、従来のループアンテナの他の例を図１０９に示す。図１０９に示す従来のループアンテナ１０２は、長方形のループ素子１０２ａを備え１辺のほぼ中央から外側に折曲されて、その先端が給電点１０２ｂとされている。このループ素子１０２ａの長さを約６００ｍｍとすると共に、給電点１０２ｂ間の間隔を約１０ｍｍとした際のゲインの周波数特性を図１１０に示し、反射損失の周波数特性を図１１１に示す。図１１０および図１１１に示す周波数特性における周波数範囲は４７０ＭＨｚ（１３ｃｈ）〜７７０ＭＨｚ（６２ｃｈ）のＵＨＦ帯とされており、これらの図を参照すると、図１０９に示すループアンテナ１０２は１波長のアンテナとして動作しており、ループアンテナ１００より若干電気的特性が良好になっていることが分かる。
【０００５】
さらにまた、従来のループアンテナの他の例を図１１２に示す。図１１２に示す従来のループアンテナ１０３は、円形のループ素子１０３ａを備えループ素子１０３ａの切断された部位が外側に折曲されて、その先端が給電点１０３ｂとされている。このループ素子１０３ａの長さを約６００ｍｍとすると共に、給電点１０３ｂ間の間隔を約１０ｍｍとした際のゲインの周波数特性を図１１３に示し、反射損失の周波数特性を図１１４に示す。図１１３および図１１４に示す周波数特性における周波数範囲は４７０ＭＨｚ（１３ｃｈ）〜７７０ＭＨｚ（６２ｃｈ）のＵＨＦ帯とされており、これらの図を参照すると、図１１２に示すループアンテナ１０３は１波長のアンテナとして動作しており、ループアンテナ１００より若干電気的特性が劣化されていることが分かる。
【０００６】
さらにまた、従来のループアンテナの他の例を図１１５に示す。図１１５に示す従来のループアンテナ１０４は、矩形の双ループ素子１０４ａを備えている。双ループ素子１０４ａは矩形の大きさの異なるループ素子が同じ中心とされるよう２重に配置されて構成され、２つのループ素子の１辺の中央部が接続されて外側に延伸され、その先端が２つのループ素子に共通の給電点１０４ｂとされている。この双ループ素子１０４ａの外側のループ素子の長さを約６００ｍｍとすると共に、内側のループ素子の長さを約５２０ｍｍとして、給電点１０４ｂ間の間隔を約１０ｍｍとした際のゲインの周波数特性を図１１６に示し、反射損失の周波数特性を図１１７に示す。図１１６および図１１７に示す周波数特性における周波数範囲は４７０ＭＨｚ（１３ｃｈ）〜７７０ＭＨｚ（６２ｃｈ）のＵＨＦ帯とされており、これらの図を参照すると、図１１４に示すループアンテナ１０４は１波長のアンテナとして動作しており、ループアンテナ１００より大幅に電気的特性が良好となっていることが分かる。
【０００７】
さらにまた、従来のループアンテナのさらに他の例を図１１８に示す。図１１８に示す従来のループアンテナ１０５は、導電板を矩形のループ状に切り抜いて形成されたループ素子１０５ａを備えている。
さらにまた、従来のループアンテナの他の例を図１１９に示す。図１１９に示す従来のループアンテナ１０６は、導電板を矩形状に折曲して形成されたループ素子１０６ａを備えている。ループアンテナ１０５、ループアンテナ１０６のゲインおよび反射損失の周波数特性については図示しないが、ループアンテナ１０４のゲインおよび反射損失の周波数特性を超えるものではない。
【発明の開示】
【発明が解決しようとする課題】
【０００８】
上記した従来のループアンテナ１００ないしループアンテナ１０３のゲインおよび反射損失の周波数特性を参照すると、良好なゲインおよび反射損失の周波数特性を示す周波数範囲が狭くなっており、ＵＨＦ帯におけるテレビチャンネルの数チャンネルでしか実用的に動作しないという問題点があった。
また、従来の双ループ素子１０４ａを備えるループアンテナ１０４においては良好なゲインおよび反射損失の周波数特性を示す周波数範囲がある程度広帯域となっているが、ＵＨＦ帯におけるテレビ放送の周波数帯域は３００ＭＨｚもの広帯域に亘っていることから、より広帯域において実用的に動作するループアンテナが望まれている。
【０００９】
そこで、本発明は、実用的に動作する周波数帯域を広帯域化するようにしたループアンテナを提供することを目的としている。
【課題を解決するための手段】
【００１０】
上記目的を達成するために、本発明のループアンテナは、ループ素子の給電点をほぼ中心として、該ループ素子に近接して無給電素子を配置するようにしたことを最も主要な特徴としている。
【発明の効果】
【００１１】
本発明によれば、ループ素子の給電点をほぼ中心として、該ループ素子に近接して無給電素子を配置することで、実用的に動作する周波数帯域を広帯域化することができるようになった。
【発明を実施するための最良の形態】
【００１２】
ＵＨＦ帯において実用的に動作する周波数帯域を広帯域化するようにしたループアンテナを提供するという目的を、ループ素子の給電点をほぼ中心として、該ループ素子に近接して無給電素子を配置することで実現した。
【００１３】
本発明の第１実施例のループアンテナ１の構成を図１および図２に示す。図１は本発明の第１実施例のループアンテナ１の構成を示す正面図であり、図２は本発明の第１実施例のループアンテナ１の側面図である。
これらの図に示すループアンテナ１は、金属線を矩形状に折曲して構成されたループ素子１ａを備え、その１辺の中央部が切断されて外側に折曲されて延伸され、その先端が給電点１ｃとされている。そして、ループ素子１ａの給電点１ｃをほぼ中心とする辺に対向すると共に、当該辺に近接して導電性の直線状とされた無給電素子１ｂが配置されている。本発明の第１実施例のループアンテナ１は、無給電素子１ｂがループ素子１ａにおける給電点１ｃを中心とする辺に近接して配置されていることを特徴的な構成としている。無給電素子１ｂは、例えば金属線により構成されており、その長さはループ素子１ａの幅ｗとほぼ等しい長さとされている。
【００１４】
本発明の第１実施例のループアンテナ１は、ループ素子１ａが１波長のアンテナとして動作するようになり、ループ素子１ａの幅ｗを約１５０ｍｍ、高さｈを約１５０ｍｍ、給電点１ｃ間の間隔Ｄを約１０ｍｍ、無給電素子１ｂの長さを約１５０ｍｍ、ループ素子１ａと無給電素子１ｂとの間隔Ｄ１を約１ｍｍとした際のゲインの周波数特性を図３に示し、その反射損失の周波数特性を図４に示す。図３および図４に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１００のゲインおよび反射損失の周波数特性（図１０４，図１０５参照）とを対比すると、本発明の第１実施例のループアンテナ１は、高域における特性が格段に向上されて実用的に動作する周波数範囲が格段に広帯域化されていることが分かる。このように、無給電素子１ｂを設けることにより実用的に動作する周波数範囲が格段に広帯域化されたループアンテナ１とすることができるのである。
【００１５】
次に、本発明の第２実施例のループアンテナ２の構成を図５および図６に示す。図５は本発明の第２実施例のループアンテナ２の構成を示す正面図であり、図６は本発明の第２実施例のループアンテナ２の側面図である。
これらの図に示すループアンテナ２は、金属線をひし形状に折曲して構成されたループ素子２ａを備え、１つの頂点が切断されて外側に折曲されて延伸され、その先端が給電点２ｃとされている。そして、ループ素子２ａの給電点２ｃから両側に延伸されている辺に対向すると共に、当該辺に近接して導電性のＬ字状に折曲された無給電素子２ｂが配置されている。本発明の第２実施例のループアンテナ２においては、無給電素子２ｂがループ素子２ａにおける給電点２ｃの両側の辺に近接して配置されていることを特徴的な構成としている。無給電素子２ｂは、例えば金属線により構成されており、その長さはループ素子２ａの長さの約１／４の長さとされている。
【００１６】
本発明の第２実施例のループアンテナ２は、１波長のアンテナとして動作するようになり、ループ素子２ａの長さを約６００ｍｍ、給電点２ｃ間の間隔を約１０ｍｍ、無給電素子２ｂの長さを約１５０ｍｍ、ループ素子２ａと無給電素子２ｂとの間隔を約１ｍｍとした際のゲインの周波数特性を図７に示し、その反射損失の周波数特性を図８に示す。図７および図８に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０１のゲインおよび反射損失の周波数特性（図１０７，図１０８参照）とを対比すると、本発明の第２実施例のループアンテナ２は、高域における特性が格段に向上されて実用的に動作する周波数範囲が格段に広帯域化されていることが分かる。このように、無給電素子２ｂを設けることにより実用的に動作する周波数範囲が格段に広帯域化されたループアンテナ２とすることができるのである。
【００１７】
次に、本発明の第３実施例のループアンテナ３の構成を図９および図１０に示す。図９は本発明の第３実施例のループアンテナ３の構成を示す正面図であり、図１０は本発明の第３実施例のループアンテナ３の側面図である。
これらの図に示すループアンテナ３は、金属線を長方形状に折曲して構成されたループ素子３ａを備え、短辺の１つのほぼ中央が切断されて外側に折曲されて延伸され、その先端が給電点３ｃとされている。そして、ループ素子３ａの給電点３ｃをほぼ中心とする辺と当該辺から約９０°折曲されて延伸している２辺に対向して、ループ素子１ａに近接するよう導電性のコ字状に折曲された無給電素子３ｂが配置されている。本発明の第３実施例のループアンテナ３においては、無給電素子３ｂがループ素子３ａにおける給電点３ｃを中心とする辺と、当該辺から延伸される２辺に近接して配置されていることを特徴的な構成としており、無給電素子３ｂは、例えば金属線により構成されており、その長さはループ素子３ａの長さの約１／４の長さとされている。
【００１８】
本発明の第３実施例のループアンテナ３は、１波長のアンテナとして動作するようになり、ループ素子３ａの長さを約６００ｍｍ、給電点３ｃ間の間隔を約１０ｍｍ、無給電素子３ｂの長さを約１５０ｍｍ、ループ素子３ａと無給電素子３ｂとの間隔を約１ｍｍとした際のゲインの周波数特性を図１１に示し、その反射損失の周波数特性を図１２に示す。図１１および図１２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０２のゲインおよび反射損失の周波数特性（図１１０，図１１１参照）とを対比すると、本発明の第３実施例のループアンテナ３は、高域における特性が格段に向上されて実用的に動作する周波数範囲が格段に広帯域化されていることが分かる。このように、無給電素子３ｂを設けることにより実用的に動作する周波数範囲が格段に広帯域化されたループアンテナ３とすることができるのである。
【００１９】
次に、本発明の第４実施例のループアンテナ４の構成を図１３および図１４に示す。図１３は本発明の第４実施例のループアンテナ４の構成を示す正面図であり、図１４は本発明の第４実施例のループアンテナ４の側面図である。
これらの図に示すループアンテナ４は、金属線を円形状に折曲して構成されたループ素子４ａを備え、ループ素子４ａにおいて切断された部位が外側に折曲されて延伸され、その先端が給電点４ｃとされている。そして、ループ素子４ａの給電点４ｃから両側に延伸されているループ素子４ａに対向すると共に、ループ素子４ａに近接して導電性の円弧状に折曲された無給電素子４ｂが配置されている。本発明の第４実施例のループアンテナ４においては、無給電素子４ｂがループ素子４ａにおける給電点４ｃを中心とする部分に近接して配置されていることを特徴的な構成としている。無給電素子４ｂは、例えば金属線により構成されており、その長さはループ素子４ａの長さの約１／４の長さとされている。
【００２０】
本発明の第４実施例のループアンテナ４は、１波長のアンテナとして動作するようになり、ループ素子４ａの長さを約６００ｍｍ、給電点４ｃ間の間隔を約１０ｍｍ、無給電素子４ｂの長さを約１５０ｍｍ、ループ素子４ａと無給電素子４ｂとの間隔を約１ｍｍとした際のゲインの周波数特性を図１５に示し、その反射損失の周波数特性を図１６に示す。図１５および図１６に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０３のゲインおよび反射損失の周波数特性（図１１３，図１１４参照）とを対比すると、本発明の第４実施例のループアンテナ４は、高域における特性が格段に向上されて実用的に動作する周波数範囲が格段に広帯域化されていることが分かる。このように、無給電素子４ｂを設けることにより実用的に動作する周波数範囲が格段に広帯域化されたループアンテナ４とすることができるのである。
【００２１】
次に、本発明の第５実施例のループアンテナ５の構成を図１７および図１８に示す。図１７は本発明の第５実施例のループアンテナ５の構成を示す正面図であり、図１８は本発明の第５実施例のループアンテナ５の側面図である。
これらの図に示すループアンテナ５は、金属線を矩形状に折曲して構成された外側のループ素子と、金属線を矩形状に折曲して構成された外側のループ素子より小型とされて動作周波数帯域が高くされた内側のループ素子からなる双ループ素子５ａを備えている。双ループ素子５ａを構成している外側のループ素子と内側のループ素子とはそれぞれの中心が同じ位置となるように配置されて、各辺間の間隔はほぼ等間隔とされている。外側のループ素子と内側のループ素子における対向する辺の中央部が切断されて接続され、外側に延伸されて、その先端が給電点５ｃとされている。そして、双ループ素子５ａの給電点５ｃをほぼ中心とする辺に対向すると共に、当該辺に近接して導電性の直線状とされた無給電素子５ｂが配置されている。本発明の第５実施例のループアンテナ５は、無給電素子５ｂが双ループ素子５ａにおける給電点５ｃを中心とする辺に近接して配置されていることを特徴的な構成としている。無給電素子５ｂは、例えば金属線により構成されており、その長さは双ループ素子５ａの幅とほぼ等しい長さとされている。
【００２２】
本発明の第５実施例のループアンテナ５は、１波長のアンテナとして動作するようになる。第５実施例のループアンテナ５において、双ループ素子５ａに対して無給電素子５ｂを上下に移動させるとループアンテナ５の電気的特性が変化するようになる。そこで、双ループ素子５ａにおける外側のループ素子の給電点５ｃをほぼ中心とする辺の高さを基準として無給電素子５ｂを下方向から上方向に移動させた際のゲインと反射損失の周波数特性を次に示す。この場合、双ループ素子５ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍ、給電点５ｃ間の間隔を約１０ｍｍ、無給電素子５ｂの長さを約１５０ｍｍ、双ループ素子５ａと無給電素子５ｂとの間隔を約１ｍｍとする。
【００２３】
まず、無給電素子５ｂを双ループ素子５ａにおける外側のループ素子の給電点５ｃをほぼ中心とする辺の高さから下方向に約５ｍｍ移動した際のゲインの周波数特性を図１９に示し、その反射損失の周波数特性を図２０に示す。図１９および図２０に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯のほとんどのチャンネルにおいて実用的に十分動作するループアンテナとなる。
【００２４】
次に、無給電素子５ｂを双ループ素子５ａにおける外側のループ素子の給電点５ｃをほぼ中心とする辺の高さから下方向に約２．５ｍｍ移動した際のゲインの周波数特性を図２１に示し、その反射損失の周波数特性を図２２に示す。図２１および図２２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯のほとんどのチャンネルにおいて実用的に十分動作するループアンテナとなる。
【００２５】
次に、無給電素子５ｂを双ループ素子５ａにおける外側のループ素子の給電点５ｃをほぼ中心とする辺の高さと同じ高さとした際のゲインの周波数特性を図２３に示し、その反射損失の周波数特性を図２４に示す。図２３および図２４に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯の高域のチャンネルを除く６割以上のチャンネルにおいて実用的に十分動作するループアンテナとなる。なお、反射損失特性に見られるようにこの場合のループアンテナ５は約６００ＭＨｚで共振する特性を示すようになる。
【００２６】
次に、無給電素子５ｂを双ループ素子５ａにおける外側のループ素子の給電点５ｃをほぼ中心とする辺の高さから上方向に約２．５ｍｍ移動した際のゲインの周波数特性を図２５に示し、その反射損失の周波数特性を図２６に示す。図２５および図２６に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯の高域のチャンネルを除く６割以上のチャンネルにおいて実用的に十分動作するループアンテナとなる。なお、反射損失特性に見られるようにこの場合のループアンテナ５は約６１０ＭＨｚで共振する特性を示すようになる。
【００２７】
次に、無給電素子５ｂを双ループ素子５ａにおける外側のループ素子の給電点５ｃをほぼ中心とする辺の高さから上方向に約５．０ｍｍ移動した際のゲインの周波数特性を図２７に示し、その反射損失の周波数特性を図２８に示す。図２７および図２８に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯の高域のチャンネルを除く６割以上のチャンネルにおいて実用的に十分動作するループアンテナとなる。
【００２８】
次に、無給電素子５ｂを双ループ素子５ａにおける外側のループ素子の給電点５ｃをほぼ中心とする辺の高さから上方向に約７．５ｍｍ移動した際のゲインの周波数特性を図２９に示し、その反射損失の周波数特性を図３０に示す。図２９および図３０に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯の高域のチャンネルを除く６割以上のチャンネルにおいて実用的に十分動作するループアンテナとなる。
【００２９】
次に、無給電素子５ｂを双ループ素子５ａにおける外側のループ素子の給電点５ｃをほぼ中心とする辺の高さから上方向に約１０．０ｍｍ移動した際のゲインの周波数特性を図３１に示し、その反射損失の周波数特性を図３２に示す。図３１および図３２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯の高域のチャンネルを除く５割以上のチャンネルにおいて実用的に十分動作するループアンテナとなる。
【００３０】
上記した本発明の第５実施例のループアンテナ５における図１９ないし図３２に示すゲインおよび反射損失の周波数特性を参照すると、双ループ素子５ａにおける外側のループ素子の給電点５ｃをほぼ中心とする辺の高さから下方向に無給電素子５ｂを移動するにつれて広帯域化されていることが分かる。なお、無給電素子５ｂは下方向に約５ｍｍ移動させた場合にゲインおよび反射損失の周波数特性は最も広帯域化される。
また、第５実施例のループアンテナ５において、双ループ素子５ａに対向している無給電素子５ｂの長さを変化させるとループアンテナ５の電気的特性が変化するようになる。そこで、無給電素子５ｂの長さを変化させた際のループアンテナ５のゲインと反射損失の周波数特性を次に示す。
【００３１】
まず、無給電素子５ｂの長さを約１５０ｍｍとした際のゲインの周波数特性を図３３に示し、その反射損失の周波数特性を図３４に示す。この場合、無給電素子５ｂの高さを双ループ素子５ａにおける外側のループ素子の給電点５ｃをほぼ中心とする辺の高さと同じにしている。図３３および図３４に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例のループアンテナ５は、高域における特性が格段に向上されて実用的に動作する周波数範囲が格段に広帯域化されていることが分かる。このように、無給電素子５ｂを設けることにより実用的に動作する周波数範囲が格段に広帯域化されたループアンテナ５とすることができるのである。上記した本発明の第５実施例のループアンテナ５においては、ＵＨＦ帯のほとんどのチャンネルにおいて実用的に十分動作するループアンテナとなる。
【００３２】
次に、無給電素子５ｂの長さを約１４５ｍｍとした際のゲインの周波数特性を図３５に示し、その反射損失の周波数特性を図３６に示す。この場合、無給電素子５ｂの高さを双ループ素子５ａにおける外側のループ素子の給電点５ｃをほぼ中心とする辺の高さと同じにしている。図３４および図３５に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子５ｂの長さを約１５０ｍｍとした際のゲインおよび反射損失の周波数特性（図３３、図３４参照）とを対比すると、無給電素子５ｂの長さを約１４５ｍｍと短くすると、高域における特性がさらに向上されて実用的に動作する周波数範囲がより広帯域化されていることが分かる。そして、無給電素子５ｂの長さを約１４５ｍｍとした本発明の第５実施例のループアンテナ５においては、ＵＨＦ帯のほとんどのチャンネルにおいて実用的に十分動作するループアンテナとなる。
【００３３】
次に、無給電素子５ｂの長さを約１４０ｍｍとした際のゲインの周波数特性を図３７に示し、その反射損失の周波数特性を図３８に示す。この場合、無給電素子５ｂの高さを双ループ素子５ａにおける外側のループ素子の給電点５ｃをほぼ中心とする辺の高さと同じにしている。図３７および図３８に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子５ｂの長さを約１４５ｍｍとした際のゲインおよび反射損失の周波数特性（図３５、図３６参照）とを対比すると、無給電素子５ｂの長さを約１４０ｍｍとより短くすると、高域における特性がさらに向上されて実用的に動作する周波数範囲がより広帯域化されていることが分かる。そして、無給電素子５ｂの長さを約１４０ｍｍとした本発明の第５実施例のループアンテナ５においては、ＵＨＦ帯のほとんどのチャンネルにおいて実用的に十分動作するループアンテナとなる。
【００３４】
次に、無給電素子５ｂの長さを約１３５ｍｍとした際のゲインの周波数特性を図３９に示し、その反射損失の周波数特性を図４０に示す。この場合、無給電素子５ｂの高さを双ループ素子５ａにおける外側のループ素子の給電点５ｃをほぼ中心とする辺の高さと同じにしている。図３９および図４０に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子５ｂの長さを約１４０ｍｍとした際のゲインおよび反射損失の周波数特性（図３７、図３８参照）とを対比すると、無給電素子５ｂの長さを約１３５ｍｍと短くすると、高域における特性がさらに向上されて実用的に動作する周波数範囲がより広帯域化されていることが分かる。そして、無給電素子５ｂの長さを約１３５ｍｍとした本発明の第５実施例のループアンテナ５においては、ＵＨＦ帯のほとんどのチャンネルにおいて実用的に十分動作するループアンテナとなる。
【００３５】
次に、無給電素子５ｂの長さを約１３０ｍｍとした際のゲインの周波数特性を図４１に示し、その反射損失の周波数特性を図４２に示す。この場合、無給電素子５ｂの高さを双ループ素子５ａにおける外側のループ素子の給電点５ｃをほぼ中心とする辺の高さと同じにしている。図４１および図４２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子５ｂの長さを約１３５ｍｍとした際のゲインおよび反射損失の周波数特性（図３９、図４０参照）とを対比すると、無給電素子５ｂの長さを約１３０ｍｍと短くすると、高域における特性がさらに向上されて実用的に動作する周波数範囲がより広帯域化されていることが分かる。そして、無給電素子５ｂの長さを約１３０ｍｍとした本発明の第５実施例のループアンテナ５においては、ＵＨＦ帯のほとんどのチャンネルにおいて実用的に十分動作するループアンテナとなる。
【００３６】
次に、無給電素子５ｂの長さを約１２５ｍｍとした際のゲインの周波数特性を図４３に示し、その反射損失の周波数特性を図４４に示す。この場合、無給電素子５ｂの高さを双ループ素子５ａにおける外側のループ素子の給電点５ｃをほぼ中心とする辺の高さと同じにしている。図４３および図４４に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子５ｂの長さを約１３０ｍｍとした際のゲインおよび反射損失の周波数特性（図４１、図４２参照）とを対比すると、無給電素子５ｂの長さを約１２５ｍｍと短くすると、高域における特性がさらに向上されて実用的に動作する周波数範囲がより広帯域化されていることが分かる。そして、無給電素子５ｂの長さを約１２５ｍｍとした本発明の第５実施例のループアンテナ５においては、ＵＨＦ帯のほとんどのチャンネルにおいて実用的に十分動作するループアンテナとなる。
【００３７】
上記した本発明の第５実施例のループアンテナ５における図３３ないし図４４に示すゲインおよび反射損失の周波数特性を参照すると、双ループ素子５ａにおける無給電素子５ｂの長さを約１５０ｍｍから短くするにつれて広帯域化されていることが分かる。しかし、無給電素子５ｂの長さを短くするにつれて中域のゲインおよび反射損失は少しずつ劣化していくようになる。すなわち、無給電素子５ｂの長さは約１２５ｍｍとした場合にゲインおよび反射損失の周波数特性は最も広帯域化される。
【００３８】
ここで、本発明のループアンテナにおいて無給電素子を設けたことによりゲインおよび反射損失特性が広帯域化されることの原理について図１０１に示す無給電素子を備える本発明のループアンテナの等価回路図を参照して考察する。
無給電素子を備える本発明のループアンテナ２０は、図１０１に示す等価回路で表される。コイルＬ１、コイルＬ２、コンデンサＣ１、抵抗Ｒ１が直列接続され、給電点２２を有する直列回路がループ素子２０ａの等価回路に相当し、直列接続されたコイルＬ３、コイルＬ４、コンデンサＣ２、抵抗Ｒ２からなる閉回路が無給電素子２０ｂの等価回路に相当している。本発明のループアンテナ２０において、無給電素子２０ｂがループ素子２０ａに近接配置されて電磁気的に結合していることが、コイルＬ１とコイルＬ３とが結合していると共に、コイルＬ２とコイルＬ４とが結合していることで表されている。図示するようにループ素子２０ａと無給電素子２０ｂとは共振回路を構成しており、これらの共振回路が相互に結合されてループアンテナ２０の総合的な電気的特性となっている。そこで、共振回路とされているループ素子２０ａの動作周波数（共振周波数）をＵＨＦ帯の低域に設定し、共振回路とされている無給電素子２０ｂの動作周波数（共振周波数）をＵＨＦ帯の高域に設定すると、低域において良好な特性を示すループ素子２０ａは、高域において劣化した特性を示すようになるが無給電素子２０ｂが高域において良好な特性を示すことから、ループ素子２０ａの特性が無給電素子２０ｂの特性により補われて周波数特性が広帯域化されるようになる。これが、本発明のループアンテナにおいて無給電素子を設けたことによりゲインおよび反射損失特性が広帯域化されることの原理と推察される。
【００３９】
上述した本発明の第１実施例のループアンテナ１ないし第４実施例のループアンテナ４においては、ループ素子１ａないしループ素子４ａの共振周波数は、その長さが約６００ｍｍとされてＵＨＦ帯の低域で共振するようになり、無給電素子１ｂないし無給電素子４ｂの長さは約１５０ｍｍとされてＵＨＦ帯の中域から高域で共振するようになる。すると、低域で共振するループ素子１ａ〜４ａと、中域から高域で共振する無給電素子１ｂ〜４ｂとの電気的特性が総合されて第１実施例ないし第４実施例のループアンテナ１〜４の電気的特性が広帯域化されるものと推察される。本発明の第５実施例のループアンテナ５においても同様であり、無給電素子５ｂを短くしてその共振周波数が高くなると、図３３ないし図４４に示すようにループアンテナ５の高域の特性が向上するものと考えられる。また、無給電素子５ｂの高さをループ素子５ａに対して上下することにより、コイルＬ１、Ｌ２とコイルＬ３、Ｌ４との結合度が変わり電気的特性が変化するものと考えられる。
【００４０】
次に、本発明の第５実施例の変形例のループアンテナ６の構成を図４５および図４６に示す。図４５は本発明の第５実施例の変形例のループアンテナ６の構成を示す正面図であり、図４６は本発明の第５実施例の変形例のループアンテナ６の側面図である。
これらの図に示すループアンテナ６は、金属線を矩形状に折曲して構成された外側のループ素子と、金属線を矩形状に折曲して構成された外側のループ素子より小型とされた内側のループ素子からなる双ループ素子６ａを備えている。双ループ素子６ａを構成している外側のループ素子と内側のループ素子とはそれぞれの中心が同じ位置となるように配置されて、各辺間の間隔はほぼ等間隔とされている。外側のループ素子と内側のループ素子における対向する辺の中央部が切断されて接続され、外側に延伸されて、その先端が給電点６ｃとされている。そして、双ループ素子６ａの給電点６ｃをほぼ中心とする辺に対向すると共に、当該辺に近接して導電性の直線状とされた棒状の無給電素子６ｂが配置されている。本発明の第５実施例の変形例のループアンテナ６は、棒状の無給電素子６ｂが双ループ素子６ａにおける給電点６ｃを中心とする辺に近接して配置されていることを特徴的な構成としている。無給電素子６ｂは、例えば金属棒や金属管により構成されており、その長さは双ループ素子６ａの幅とほぼ等しい長さとされている。
【００４１】
本発明の第５実施例の変形例のループアンテナ６は、１波長のアンテナとして動作するようになる。第５実施例の変形例のループアンテナ６において、無給電素子６ｂの太さを変化させるとループアンテナ６の電気的特性が変化するようになる。そこで、無給電素子６ｂの太さを変化させた際のゲインと反射損失の周波数特性を次に示す。この場合、双ループ素子６ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍ、給電点６ｃ間の間隔を約１０ｍｍ、無給電素子６ｂの長さを約１５０ｍｍ、双ループ素子６ａと無給電素子６ｂとの間隔を約１ｍｍとする。
【００４２】
まず、無給電素子６ｂの径を約０．２５ｍｍとした際のゲインの周波数特性を図４７に示し、その反射損失の周波数特性を図４８に示す。この場合、無給電素子６ｂの高さを双ループ素子６ａにおける外側のループ素子の給電点６ｃをほぼ中心とする辺の高さと同じにしている。図４７および図４８に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第５実施例の変形例のループアンテナ６は、高域における特性が格段に向上されて実用的に動作する周波数範囲が格段に広帯域化されていることが分かる。このように、棒状の無給電素子６ｂを設けることにより実用的に動作する周波数範囲が格段に広帯域化されたループアンテナ６とすることができるのである。上記した本発明の第５実施例の変形例のループアンテナ６においては、ＵＨＦ帯のほとんどのチャンネルにおいて実用的に十分動作するループアンテナとなる。
【００４３】
次に、無給電素子６ｂの径を約０．５５ｍｍとした際のゲインの周波数特性を図４９に示し、その反射損失の周波数特性を図５０に示す。この場合、無給電素子６ｂの高さを双ループ素子６ａにおける外側のループ素子の給電点６ｃをほぼ中心とする辺の高さと同じにしている。図４９および図５０に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子６ｂの径を約０．２５ｍｍとした際のゲインおよび反射損失の周波数特性（図４７、図４８参照）とを対比すると、無給電素子６ｂの径を太くすると、無給電素子６ｂの共振特性が広帯域化されて高域における特性が若干向上され、実用的に動作する周波数範囲が若干広帯域化されていることが分かる。そして、無給電素子６ｂの径を約０．５５ｍｍとした本発明の第５実施例の変形例のループアンテナ６においては、ＵＨＦ帯のほとんどのチャンネルにおいて実用的に十分動作するループアンテナとなる。
【００４４】
次に、無給電素子６ｂの径を約１．０ｍｍとした際のゲインの周波数特性を図５１に示し、その反射損失の周波数特性を図５２に示す。この場合、無給電素子６ｂの高さを双ループ素子６ａにおける外側のループ素子の給電点６ｃをほぼ中心とする辺の高さと同じにしている。図５１および図５２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子６ｂの径を約０．５５ｍｍとした際のゲインおよび反射損失の周波数特性（図４９、図５０参照）とを対比すると、無給電素子６ｂの径をより太くすると、無給電素子６ｂの共振特性が広帯域化されて高域における特性が若干向上され、実用的に動作する周波数範囲が若干広帯域化されていることが分かる。そして、無給電素子６ｂの径を約１．０ｍｍとした本発明の第５実施例の変形例のループアンテナ６においては、ＵＨＦ帯のほとんどのチャンネルにおいて実用的に十分動作するループアンテナとなる。
【００４５】
上記した本発明の第５実施例の変形例のループアンテナ６における図４７ないし図５２に示すゲインおよび反射損失の周波数特性を参照すると、無給電素子６ｂの径を太くするにつれて広帯域化されているが、その改善度は余り大きくないことが分かる。このことから、無給電素子６ｂの径は０．２５ｍｍあれば十分広帯域とされたゲインおよび反射損失の周波数特性が得られ、径に対する改善度は余り大きくないことから無給電素子６ｂの径が０．２５ｍｍ以下であっても同様の電気的特性が得られることが分かる。
【００４６】
次に、本発明の第６実施例のループアンテナ７の構成を図５３および図５４に示す。図５３は本発明の第６実施例のループアンテナ７の構成を示す正面図であり、図５４は本発明の第６実施例のループアンテナ７の側面図である。
これらの図に示すループアンテナ７は、金属線を矩形状に折曲して構成された外側のループ素子と、金属線を矩形状に折曲して構成された外側のループ素子より小型とされて動作周波数帯域が高くされた内側のループ素子からなる双ループ素子７ａを備えている。双ループ素子７ａを構成している外側のループ素子と内側のループ素子とはそれぞれの中心が同じ位置となるように配置されて、各辺間の間隔はほぼ等間隔とされている。外側のループ素子と内側のループ素子における対向する辺の中央部が切断されて接続され、外側に延伸されて、その先端が給電点７ｃとされている。そして、双ループ素子７ａの給電点７ｃをほぼ中心とする辺に対向すると共に、当該辺に近接して導電性の直線状とされた棒状の無給電素子７ｂが配置されている。本発明の第６実施例のループアンテナ７は、板状の無給電素子７ｂが双ループ素子７ａにおける給電点７ｃを中心とする辺に近接して配置されていることを特徴的な構成としている。無給電素子７ｂは、例えば金属板により構成されており、その長さは双ループ素子７ａの幅とほぼ等しい長さとされている。
【００４７】
本発明の第６実施例のループアンテナ７は、１波長のアンテナとして動作するようになる。第６実施例のループアンテナ７において、板状の無給電素子７ｂの幅を変化させるとループアンテナ７の電気的特性が変化するようになる。そこで、板状の無給電素子７ｂの太さを変化させた際のゲインと反射損失の周波数特性を次に示す。この場合、双ループ素子７ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍ、給電点７ｃ間の間隔を約１０ｍｍ、無給電素子７ｂの長さを約１５０ｍｍ、双ループ素子７ａと無給電素子７ｂとの間隔を約１ｍｍとする。
【００４８】
まず、板状の無給電素子７ｂの幅を約１ｍｍとした際のゲインの周波数特性を図５５に示し、その反射損失の周波数特性を図５６に示す。この場合、無給電素子７ｂの高さを双ループ素子７ａにおける外側のループ素子の給電点７ｃをほぼ中心とする辺の高さと同じにしている。図５５および図５６に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第６実施例のループアンテナ７は、高域における特性が格段に向上されて実用的に動作する周波数範囲が格段に広帯域化されていることが分かる。このように、板状の無給電素子７ｂを設けることにより実用的に動作する周波数範囲が格段に広帯域化されたループアンテナ７とすることができるのである。上記した本発明の第６実施例のループアンテナ７においては、ＵＨＦ帯のほとんどのチャンネルにおいて実用的に十分動作するループアンテナとなる。
【００４９】
次に、無給電素子７ｂの幅を約２ｍｍとした際のゲインの周波数特性を図５７に示し、その反射損失の周波数特性を図５８に示す。この場合、無給電素子７ｂの高さを双ループ素子７ａにおける外側のループ素子の給電点７ｃをほぼ中心とする辺の高さと同じにしている。図５７および図５８に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子７ｂの幅を約１ｍｍとした際のゲインおよび反射損失の周波数特性（図５５、図５６参照）とを対比すると、無給電素子７ｂの幅を広くすると、無給電素子７ｂの共振特性が広帯域化されて高域における特性が向上され、実用的に動作する周波数範囲がより広帯域化されていることが分かる。そして、無給電素子７ｂの幅を約２ｍｍとした本発明の第６実施例のループアンテナ７においては、ＵＨＦ帯のほとんどのチャンネルにおいて実用的に十分動作するループアンテナとなる。
【００５０】
次に、無給電素子７ｂの幅を約３ｍｍとした際のゲインの周波数特性を図５９に示し、その反射損失の周波数特性を図６０に示す。この場合、無給電素子７ｂの高さを双ループ素子７ａにおける外側のループ素子の給電点７ｃをほぼ中心とする辺の高さと同じにしている。図５９および図６０に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子７ｂの幅を約２ｍｍとした際のゲインおよび反射損失の周波数特性（図５７、図５８参照）とを対比すると、無給電素子７ｂの幅を広くすると、無給電素子７ｂの共振特性が広帯域化されて高域における特性が向上され、実用的に動作する周波数範囲が若干広帯域化されていることが分かる。そして、無給電素子７ｂの幅を約３ｍｍとした本発明の第６実施例のループアンテナ７においては、ＵＨＦ帯のほとんどのチャンネルにおいて実用的に十分動作するループアンテナとなる。
【００５１】
次に、無給電素子７ｂの幅を約４ｍｍとした際のゲインの周波数特性を図６１に示し、その反射損失の周波数特性を図６２に示す。この場合、無給電素子７ｂの高さを双ループ素子７ａにおける外側のループ素子の給電点７ｃをほぼ中心とする辺の高さと同じにしている。図６１および図６２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子７ｂの幅を約３ｍｍとした際のゲインおよび反射損失の周波数特性（図５９、図６０参照）とを対比すると、無給電素子７ｂの幅を広くすると、無給電素子７ｂの共振特性が広帯域化されて高域における特性が向上され、ゲイン特性は若干低下するが実用的に動作する周波数範囲が若干広帯域化されていることが分かる。そして、無給電素子７ｂの幅を約４ｍｍとした本発明の第７実施例のループアンテナ７においては、ＵＨＦ帯のほとんどのチャンネルにおいて実用的に十分動作するループアンテナとなる。
【００５２】
次に、無給電素子７ｂの幅を約５ｍｍとした際のゲインの周波数特性を図６３に示し、その反射損失の周波数特性を図６４に示す。この場合、無給電素子７ｂの高さを双ループ素子７ａにおける外側のループ素子の給電点７ｃをほぼ中心とする辺の高さと同じにしている。図６３および図６４に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と無給電素子７ｂの幅を約４ｍｍとした際のゲインおよび反射損失の周波数特性（図６１、図６２参照）とを対比すると、無給電素子７ｂの幅を広くしても、実用的に動作する周波数範囲はほぼ同様となることが分かる。なお、無給電素子７ｂの幅を約５ｍｍとした本発明の第７実施例のループアンテナ７においては、ＵＨＦ帯のほとんどのチャンネルにおいて実用的に十分動作するループアンテナとなる。
【００５３】
上記した本発明の第６実施例のループアンテナ７における図４７ないし図５２に示すゲインおよび反射損失の周波数特性を参照すると、板状の無給電素子７ｂの幅を広くするにつれて広帯域化されているが、その改善度は余り大きくないことが分かる。このことから、板状の無給電素子７ｂとした場合は、無給電素子７ｂの幅として１ｍｍ以上あれば十分広帯域とされたゲインおよび反射損失の周波数特性が得られることが分かる。
【００５４】
次に、本発明の第７実施例のループアンテナ８の構成を図６５および図６６に示す。図６５は本発明の第７実施例のループアンテナ８の構成を示す正面図であり、図６６は本発明の第７実施例のループアンテナ８の側面図である。
これらの図に示すループアンテナ８は、金属線を矩形状に折曲して構成された外側のループ素子と、金属線を矩形状に折曲して構成された外側のループ素子より小型とされて動作周波数帯域が高くされた内側のループ素子からなる双ループ素子８ａを備えている。双ループ素子８ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて接続され、外側に延伸されて、その先端が給電点８ｄとされている。そして、双ループ素子８ａの給電点８ｄをほぼ中心とする辺に対向すると共に、当該辺に近接して導電性の直線状とされた第１無給電素子８ｂが配置されていると共に、第１無給電素子８ｂの直下に並列に第２無給電素子８ｃが配置されている。本発明の第７実施例のループアンテナ８は、第１無給電素子８ｂと第２無給電素子８ｃが双ループ素子８ａにおける給電点８ｄを中心とする辺に近接して配置されていることを特徴的な構成としている。第１無給電素子８ｂと第２無給電素子８ｃは、例えば金属線により構成されており、第１無給電素子８ｂの長さは内側のループ素子の幅とほぼ等しい長さとされ、第２無給電素子８ｃの長さは外側のループ素子の幅とほぼ等しい長さとされている。
【００５５】
本発明の第７実施例のループアンテナ８は、１波長のアンテナとして動作するようになる。第７実施例のループアンテナ８のゲインの周波数特性を図６７に示し、反射損失の周波数特性を図６８に示す。この場合、双ループ素子８ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍ、給電点８ｄ間の間隔を約１０ｍｍ、第１無給電素子８ｂの長さを約１５０ｍｍ、第２無給電素子８ｃの長さを約１３０ｍｍ、双ループ素子８ａと第１無給電素子８ｂおよび第２無給電素子８ｃとの間隔を約１ｍｍとする。図６７および図６８に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第７実施例のループアンテナ８は、高域における特性が格段に向上されてＵＨＦ帯の全体に亘り実用的に動作することが分かる。このように、長さの異なる第１無給電素子８ｂおよび第２無給電素子８ｃを設けることにより、ループアンテナ８の実用的に動作する周波数範囲をＵＨＦ帯の全体とすることができるのである。すなわち、上記した本発明の第７実施例のループアンテナ８においては、ＵＨＦ帯の全てのチャンネルにおいて実用的に十分動作するループアンテナとなる。
【００５６】
次に、本発明の第８実施例のループアンテナ９の構成を図６９および図７０に示す。図６９は本発明の第８実施例のループアンテナ９の構成を示す正面図であり、図７０は本発明の第８実施例のループアンテナ９の結合部９ｂを拡大して示す図である。
これらの図に示すループアンテナ９は、金属線を矩形状に折曲して構成された外側のループ素子と、金属線を矩形状に折曲して構成された外側のループ素子より小型とされて動作周波数帯域が高くされた内側のループ素子からなる双ループ素子９ａを備えている。双ループ素子９ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて結合部９ｂで接続されている。
【００５７】
結合部９ｂでは、図７０に示すように結合部９ｂに左側から導入された外側のループ素子と内側のループ素子とが１ターンの略円形のＬコイル部９ｂ２により接続され、結合部９ｂに右側から導入された外側のループ素子と内側のループ素子とが１ターンの略円形のＲコイル部９ｂ１により接続されている。Ｒコイル部９ｂ１とＬコイル部９ｂ２とは、重なるよう配置されて相互に電磁気的に結合しているが、直流的には絶縁されている。そして、右側から導入された外側のループ素子とＲコイル部９ｂ１との接続点から給電点９ｃ１へのラインが延伸され、左側から導入された外側のループ素子とＬコイル部９ｂ２との接続点から給電点９ｃ２へのラインが延伸されている。本発明の第８実施例のループアンテナ９の特徴的な構成は、結合部９ｂにおいて形成されているＲコイル部９ｂ１とＬコイル部９ｂ２が重なるよう配置されて電磁気的に結合している構成とされている。この構成により、本発明の第８実施例のループアンテナ９のゲインおよび反射損失の周波数特性は広帯域化されるようになる。
【００５８】
本発明の第８実施例のループアンテナ９は、１波長のアンテナとして動作するようになる。第８実施例のループアンテナ９のゲインの周波数特性を図７１に示し、反射損失の周波数特性を図７２に示す。この場合、双ループ素子９ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍとする。図７１および図７２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第８実施例のループアンテナ９は、高域における特性が格段に向上されてＵＨＦ帯の全体に亘り実用的に動作することが分かる。このように、結合部９ｂにおいてＲコイル部９ｂ１とＬコイル部９ｂ２とが電磁気的に結合していることにより、ループアンテナ９の実用的に動作する周波数範囲をＵＨＦ帯の全体とすることができるのである。すなわち、上記した本発明の第８実施例のループアンテナ９においては、ＵＨＦ帯の全てのチャンネルにおいて実用的に十分動作するループアンテナとなる。
【００５９】
次に、本発明の第９実施例のループアンテナ１０の構成を図７３および図７４に示す。図７３は本発明の第９実施例のループアンテナ１０の構成を示す正面図であり、図７４は本発明の第９実施例のループアンテナ１０の結合部１０ｂを拡大して示す図である。
これらの図に示すループアンテナ１０は、金属線を矩形状に折曲して構成された外側のループ素子と、金属線を矩形状に折曲して構成された外側のループ素子より小型とされて動作周波数帯域が高くされた内側のループ素子からなる双ループ素子１０ａを備えている。双ループ素子１０ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて結合部１０ｂで接続されている。
【００６０】
結合部１０ｂでは、図７４に示すように結合部１０ｂに左側から導入された外側のループ素子と内側のループ素子とが数ターンの矩形のＬコイル部１０ｂ２により接続され、結合部１０ｂに右側から導入された外側のループ素子と内側のループ素子とが数ターンの矩形のＲコイル部１０ｂ１により接続されている。Ｒコイル部１０ｂ１とＬコイル部１０ｂ２とは間隔が置かれて配置されているが電磁気的に結合している。そして、右側から導入された外側のループ素子とＲコイル部１０ｂ１との接続点から給電点１０ｃ１へのラインが延伸され、左側から導入された外側のループ素子とＬコイル部１０ｂ２との接続点から給電点１０ｃ２へのラインが延伸されている。本発明の第９実施例のループアンテナ１０の特徴的な構成は、結合部１０ｂにおいて形成されているＲコイル部１０ｂ１とＬコイル部１０ｂ２が対向して配置されて電磁気的に結合している構成とされている。
【００６１】
本発明の第９実施例のループアンテナ１０は、１波長のアンテナとして動作するようになる。第９実施例のループアンテナ１０のゲインの周波数特性を図７５に示し、反射損失の周波数特性を図７６に示す。この場合、双ループ素子１０ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍとする。図７５および図７６に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第９実施例のループアンテナ１０は、従来のループアンテナ１０４とほぼ同様の特性とされている。この場合、結合部１０ｂにおいてＲコイル部１０ｂ１とＬコイル部１０ｂ２との間隔を縮めて電磁気的な結合度を強くすることにより、高域における特性が向上されて実用的に動作する周波数範囲を広帯域化することができる。
【００６２】
次に、本発明の第１０実施例のループアンテナ１１の構成を図７７および図７８に示す。図７７は本発明の第１０実施例のループアンテナ１１の構成を示す正面図であり、図７８は本発明の第１０実施例のループアンテナ１１の結合部１１ｂを拡大して示す図である。
これらの図に示すループアンテナ１１は、金属線を矩形状に折曲して構成された外側のループ素子と、金属線を矩形状に折曲して構成された外側のループ素子より小型とされて動作周波数帯域が高くされた内側のループ素子からなる双ループ素子１１ａを備えている。双ループ素子１１ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて結合部１１ｂで接続されている。
【００６３】
結合部１１ｂでは、図７８に示すように結合部１１ｂに左側から導入された外側のループ素子と内側のループ素子とが１ターンの細長い矩形状のＬコイル部１１ｂ２により接続され、結合部１１ｂに右側から導入された外側のループ素子と内側のループ素子とが１ターンの細長い矩形状のＲコイル部１１ｂ１により接続されている。Ｒコイル部１１ｂ１とＬコイル部１１ｂ２とは間隔が置かれて配置されているが電磁気的に結合している。そして、右側から導入された外側のループ素子とＲコイル部１１ｂ１との接続点から給電点１１ｃ１へのラインが延伸され、左側から導入された外側のループ素子とＬコイル部１１ｂ２との接続点から給電点１１ｃ２へのラインが延伸されている。本発明の第１０実施例のループアンテナ１１の特徴的な構成は、結合部１１ｂにおいて形成されているＲコイル部１１ｂ１とＬコイル部１１ｂ２が対面して配置されて電磁気的に結合している構成とされている。
【００６４】
本発明の第１０実施例のループアンテナ１１は、１波長のアンテナとして動作するようになる。第１０実施例のループアンテナ１１のゲインの周波数特性を図７９に示し、反射損失の周波数特性を図８０に示す。この場合、双ループ素子１１ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍとする。図７９および図８０に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第１０実施例のループアンテナ１１は、従来のループアンテナ１０４とほぼ同様の特性とされている。この場合、結合部１１ｂにおいてＲコイル部１１ｂ１とＬコイル部１１ｂ２との間隔を縮めて電磁気的な結合度を強くすることにより、高域における特性が向上されて実用的に動作する周波数範囲を広帯域化することができる。
【００６５】
そこで、本発明の第１０実施例の変形例のループアンテナ１２の構成を図８１および図８２に示す。図８１は本発明の第１０実施例の変形例のループアンテナ１２の構成を示す正面図であり、図８２は本発明の第１０実施例の変形例のループアンテナ１２の結合部１２ｂを拡大して示す図である。
これらの図に示すループアンテナ１２は、金属線を矩形状に折曲して構成された外側のループ素子と、金属線を矩形状に折曲して構成された外側のループ素子より小型とされて動作周波数帯域が高くされた内側のループ素子からなる双ループ素子１２ａを備えている。双ループ素子１２ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて結合部１２ｂで接続されている。
【００６６】
結合部１２ｂでは、図８２に示すように結合部１２ｂに左側から導入された外側のループ素子と内側のループ素子とが１ターンの細長い矩形状のＬコイル部１２ｂ２により接続され、結合部１２ｂに右側から導入された外側のループ素子と内側のループ素子とが１ターンの細長い矩形状のＲコイル部１２ｂ１により接続されている。Ｒコイル部１２ｂ１とＬコイル部１２ｂ２とは近接した間隔で配置されて電磁気的に強く結合している。そして、右側から導入された外側のループ素子とＲコイル部１２ｂ１との接続点から給電点１２ｃ１へのラインが延伸され、左側から導入された外側のループ素子とＬコイル部１２ｂ２との接続点から給電点１２ｃ２へのラインが延伸されている。本発明の第１０実施例の変形例のループアンテナ１２の特徴的な構成は、結合部１２ｂにおいて形成されているＲコイル部１２ｂ１とＬコイル部１２ｂ２が近接して配置されて電磁気的に強く結合している構成とされている。
【００６７】
本発明の第１０実施例の変形例のループアンテナ１２は、１波長のアンテナとして動作するようになる。第１０実施例の変形例のループアンテナ１２のゲインの周波数特性を図８３に示し、反射損失の周波数特性を図８４に示す。この場合、双ループ素子１２ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍとする。図７９および図８０に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第１０実施例の変形例のループアンテナ１２は、高域における特性が向上されてＵＨＦ帯のほぼ全体に亘り実用的に動作することが分かる。このように、結合部１２ｂにおいてＲコイル部１２ｂ１とＬコイル部１２ｂ２とが電磁気的に強く結合していることにより、ループアンテナ１２の実用的に動作する周波数範囲をＵＨＦ帯の全体とすることができるのである。すなわち、上記した本発明の第１０実施例の変形例のループアンテナ１２においては、ＵＨＦ帯のほぼ全てのチャンネルにおいて実用的に十分動作するループアンテナとなる。
【００６８】
次に、本発明の第１１実施例のループアンテナ１３の構成を図８５および図８６に示す。図８５は本発明の第１１実施例のループアンテナ１３の構成を示す正面図であり、図８６は本発明の第１１実施例のループアンテナ１３の結合部１３ｂを拡大して示す図である。
これらの図に示すループアンテナ１３は、金属線を矩形状に折曲して構成された外側のループ素子と、金属線を矩形状に折曲して構成された外側のループ素子より小型とされた内側のループ素子からなる双ループ素子１３ａを備えている。双ループ素子１３ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて結合部１３ｂで接続されている。
【００６９】
結合部１３ｂでは、図８６に示すように結合部１３ｂに左側から導入された外側のループ素子と内側のループ素子とが１ターンの細長い矩形状のＬコイル部１３ｂ２により接続され、結合部１３ｂに右側から導入された外側のループ素子と内側のループ素子とが１ターンの細長い矩形状のＲコイル部１３ｂ１により接続されている。Ｒコイル部１３ｂ１とＬコイル部１３ｂ２とは、重なるよう配置されて相互に電磁気的に結合しているが、直流的には絶縁されている。そして、右側から導入された外側のループ素子とＲコイル部１３ｂ１との接続点から給電点１３ｃ１へのラインが延伸され、左側から導入された外側のループ素子とＬコイル部１３ｂ２との接続点から給電点１３ｃ２へのラインが延伸されている。本発明の第１１実施例のループアンテナ１３の特徴的な構成は、結合部１３ｂにおいて形成されているＲコイル部１３ｂ１とＬコイル部１３ｂ２が重なるよう配置されて電磁気的に結合している構成とされている。この構成により、本発明の第１１実施例のループアンテナ１３のゲインおよび反射損失の周波数特性は広帯域化されるようになる。
【００７０】
本発明の第１１実施例のループアンテナ１３は、１波長のアンテナとして動作するようになる。第１１実施例のループアンテナ１３のゲインの周波数特性を図８７に示し、反射損失の周波数特性を図８８に示す。この場合、双ループ素子１３ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍとする。図８７および図８８に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第１１実施例のループアンテナ１３は、高域における特性が格段に向上されてＵＨＦ帯の全体に亘り実用的に動作することが分かる。このように、結合部１３ｂにおいてＲコイル部１３ｂ１とＬコイル部１３ｂ２とが電磁気的に結合していることにより、ループアンテナ１３の実用的に動作する周波数範囲をＵＨＦ帯の全体とすることができるのである。すなわち、上記した本発明の第１１実施例のループアンテナ１３においては、ＵＨＦ帯の全てのチャンネルにおいて実用的に十分動作するループアンテナとなる。
【００７１】
次に、本発明の第１２実施例のループアンテナ１４の構成を図８９および図９０に示す。図８９は本発明の第１２実施例のループアンテナ１４の構成を示す正面図であり、図９０は本発明の第１２実施例のループアンテナ１４の構成を示す側面図である。
これらの図に示すループアンテナ１４は、第８実施例のループアンテナ９（図６９、図７０参照）に無給電素子１４ｃを設けた構成とされている。すなわち、金属線を矩形状に折曲して構成された外側のループ素子と、金属線を矩形状に折曲して構成された外側のループ素子より小型とされて動作周波数帯域が高くされた内側のループ素子からなる双ループ素子１４ａを備えている。双ループ素子１４ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて結合部１４ｂで接続されている。結合部１４ｂの構成は、第８実施例のループアンテナ９における結合部９ｂと同様とされているので、その説明は省略する。
【００７２】
双ループ素子１４ａの給電点１４ｄをほぼ中心とする辺に対向すると共に、当該辺に近接して導電性の直線状とされた無給電素子１４ｃが配置されている。本発明の第１２実施例のループアンテナ１４の特徴的な構成は、結合部１４ｂにおいて形成されているＲコイル部とＬコイル部が重なるよう配置されて電磁気的に結合していると共に、無給電素子１４ｃが双ループ素子１４ａにおける給電点１４ｄを中心とする辺に近接して配置されている構成とされている。この構成により、本発明の第１２実施例のループアンテナ１４のゲインおよび反射損失の周波数特性は広帯域化されるようになる。また、無給電素子１４ｃは、例えば金属線により構成されており、無給電素子１４ｃの長さは双ループ素子１４ａにおける外側のループ素子の幅とほぼ等しい長さあるいはそれより短い長さとされている。
【００７３】
本発明の第１２実施例のループアンテナ１４は、１波長のアンテナとして動作するようになる。第１２実施例のループアンテナ１４のゲインの周波数特性を図９１に示し、反射損失の周波数特性を図９２に示す。この場合、双ループ素子１４ａの外側のループ素子の幅を約１５０ｍｍ、高さを約１５０ｍｍ、内側のループ素子の幅を約１３０ｍｍ、高さを約１３０ｍｍ、外側のループ素子と内側のループ素子との間隔を約１０ｍｍ、無給電素子１４ｃの長さを約１５０ｍｍ、双ループ素子１４ａと第１無給電素子１４ｃとの間隔を約１ｍｍとする。図９１および図９２に示す周波数特性における周波数範囲は４７０ＭＨｚ（１３ｃｈ）〜７７０ＭＨｚ（６２ｃｈ）のＵＨＦ帯のテレビ放送の周波数範囲とされており、これらの周波数特性と従来のループアンテナ１０４のゲインおよび反射損失の周波数特性（図１１６、図１１７参照）とを対比すると、この本発明の第１２実施例のループアンテナ１４は、高域における特性が格段に向上されてＵＨＦ帯の全体に亘り実用的に動作することが分かる。このように、結合部１４ｂにおいてＲコイル部とＬコイル部とが電磁気的に結合していると共に、無給電素子１４ｃが双ループ素子１４ａにおける給電点１４ｄを中心とする辺に近接して配置されていることにより、ループアンテナ１４の実用的に動作する周波数範囲をＵＨＦ帯の全体とすることができるのである。すなわち、上記した本発明の第１２実施例のループアンテナ１４においては、ＵＨＦ帯の全てのチャンネルにおいて実用的に十分動作するループアンテナとなる。
【００７４】
なお、上述した本発明の第９実施例のループアンテナ１０ないし第１１実施例のループアンテナ１３においても、無給電素子を双ループ素子１０ａ〜１３ａにおける給電点１０ｃ〜１３ｃを中心とする辺に近接して配置することにより、高域における特性を格段に向上させてＵＨＦ帯の全体に亘り実用的に動作することのできるループアンテナ１０〜１３とすることができる。
【００７５】
次に、本発明の第７実施例の変形例のループアンテナの構成を図９３および図９４に示す。図９３は本発明の第７実施例の変形例のループアンテナ１５の構成を示す正面図であり、図９４は本発明の第７実施例の変形例のループアンテナ１５の側面図である。
これらの図に示すループアンテナ１５は、金属線を矩形状に折曲して構成された外側のループ素子と、金属線を矩形状に折曲して構成された外側のループ素子より小型とされて動作周波数帯域が高くされた内側のループ素子からなる双ループ素子１５ａを備えている。双ループ素子１５ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて接続され、外側に延伸されて、その先端が給電点１５ｄとされている。そして、双ループ素子１５ａの給電点１５ｄをほぼ中心とする辺に対向すると共に、当該辺に近接して導電性の直線状とされた第１無給電素子１５ｂが配置されていると共に、第１無給電素子１５ｂの斜め下に並列に第２無給電素子１５ｃが配置されている。
【００７６】
本発明の第７実施例の変形例のループアンテナ１５は、第１無給電素子１５ｂと双ループ素子８ａとの間隔が、第２無給電素子１５ｃと双ループ素子１５ａとの間隔より若干大きくされていることを特徴的な構成としている。第１無給電素子１５ｂと第２無給電素子１５ｃは、例えば金属線により構成されており、第１無給電素子１５ｂの長さは内側のループ素子の幅とほぼ等しい長さとされ、第２無給電素子１５ｃの長さは外側のループ素子の幅とほぼ等しい長さとされている。この構成により、本発明の第７実施例の変形例のループアンテナ１５は、高域における特性が格段に向上されてＵＨＦ帯の全体に亘り実用的に動作するようになる。
【００７７】
次に、本発明の第１３実施例のループアンテナの構成を図９５および図９６に示す。図９５は本発明の第１３実施例のループアンテナ１６の構成を示す正面図であり、図９６は本発明の第１３実施例のループアンテナ１６の側面図である。
これらの図に示すループアンテナ１６は、金属線を矩形状に折曲して構成された外側のループ素子と、金属線を矩形状に折曲して構成された外側のループ素子より小型とされて動作周波数帯域が高くされた内側のループ素子からなる双ループ素子１６ａを備えている。双ループ素子１６ａを構成している外側のループ素子と内側のループ素子とはそれぞれの中心が同じ位置となるように配置されて、各辺間の間隔はほぼ等間隔とされている。外側のループ素子と内側のループ素子における対向する辺のほぼ中央部が切断されて接続され、外側に延伸されて、その先端が給電点１６ｄとされている。そして、双ループ素子１６ａの給電点１６ｄをほぼ中心とする辺に対向すると共に、当該辺の一側に近接して導電性の直線状とされた第１無給電素子１６ｂが配置されていると共に、第１無給電素子１６ｂとで前記辺を挟持するよう前記辺の他側に近接して導電性の直線状とされた第２無給電素子１６ｃが並列に配置されている。
【００７８】
本発明の第１３実施例のループアンテナ１６は、第１無給電素子１６ｂと第２無給電素子１６ｃとが双ループ素子１６ａを挟持するように配置されていることを特徴的な構成としている。第１無給電素子１６ｂと第２無給電素子１６ｃは、例えば金属線により構成されており、第１無給電素子１６ｂおよび第２無給電素子１６ｃの長さは内側のループ素子の幅とほぼ等しい長さとされたり、それより短い長さとされる。この構成により、本発明の第１３実施例のループアンテナ１６は、高域における特性が格段に向上されてＵＨＦ帯の全体に亘り実用的に動作するようになる。
【００７９】
次に、本発明の第５実施例の変形例のループアンテナ１７の構成を図９７および図９８に示す。図９７は本発明の第５実施例の変形例のループアンテナ１７の構成を示す正面図であり、図９８は本発明の第５実施例の変形例のループアンテナ１７の側面図である。
これらの図に示すループアンテナ１７は、金属線を矩形状に折曲して構成された外側のループ素子と、金属線を矩形状に折曲して構成された外側のループ素子より小型とされて動作周波数帯域が高くされた内側のループ素子からなる双ループ素子１７ａを備えている。双ループ素子１７ａを構成している外側のループ素子と内側のループ素子とはそれぞれの中心が同じ位置となるように配置されて、各辺間の間隔はほぼ等間隔とされている。外側のループ素子と内側のループ素子における対向する辺の中央部が切断されて接続され、外側に延伸されて、その先端が給電点１７ｃとされている。そして、双ループ素子１７ａの給電点１７ｃをほぼ中心とする辺より下方に位置すると共に、当該辺に近接して導電性の直線状とされた無給電素子１７ｂが配置されている。
【００８０】
本発明の第５実施例の変形例のループアンテナ１７は、無給電素子１７ｂが双ループ素子１７ａにおける給電点１７ｃを中心とする辺より下方に近接して配置されていることを特徴的な構成としている。無給電素子１７ｂは、例えば金属線により構成されており、その長さは双ループ素子１７ａの幅とほぼ等しい長さとされたり、それより短い長さとされる。この構成により、本発明の第５実施例の変形例のループアンテナ１７は、高域における特性が格段に向上されて、例えば図１９，図２０に示すようにＵＨＦ帯の全体に亘り実用的に動作するゲインおよび反射損失の周波数特性となる。
【００８１】
次に、本発明の第１４実施例のループアンテナ１８の構成を図９９および図１００に示す。図９９は本発明の第１４実施例のループアンテナ１８の構成を示す正面図であり、図１００は本発明の第１４実施例のループアンテナ１８の側面図である。
これらの図に示すループアンテナ１８は、金属線を矩形状に折曲して構成された第１ループ素子１８ａ１と、この第１ループ素子１８ａ１と同形状の金属線を矩形状に折曲して構成された第２ループ素子１８ａ２からなる双ループ素子を備えている。双ループ素子を構成している第１ループ素子１８ａ１と第２ループ素子１８ａ２とは所定の間隔で対面してほぼ平行に配置されて、各辺間の間隔はほぼ等間隔とされている。第１ループ素子１８ａ１と第２ループ素子１８ａ２における対向する辺のほぼ中央部が切断されて外側に延伸されて接続され、その先端が給電点１８ｄとされている。そして、双ループ素子の給電点１８ｄをほぼ中心とする辺に対向すると共に、第１ループ素子１８ａ１あるいは第２ループ素子１８ａ２の辺に近接して導電性の直線状とされた無給電素子１８ｂが配置されている。
【００８２】
本発明の第１４実施例のループアンテナ１８は、同形状のループ素子１８ａ１、１８ａ２が重なるよう配置された双ループ素子を備え、無給電素子１８ｂが双ループ素子に近接して配置されていることを特徴的な構成としている。無給電素子１８ｂは、例えば金属線により構成されており、無給電素子１８ｂの長さは第１ループ素子１８ａ１、第２ループ素子１８ａ２の幅とほぼ等しい長さとされたり、それより短い長さとされる。この構成により、本発明の第１４実施例のループアンテナ１８は、高域における特性が格段に向上されてＵＨＦ帯の全体に亘り実用的に動作するようになる。
【００８３】
以上説明したように、本発明におけるループ素子と無給電素子を備える各実施例のループアンテナにおいては、ループ素子の動作周波数帯域を低域とすると共に、無給電素子の動作周波数帯域を高域として、全体として広帯域において動作するようにしている。これに替えて、ループ素子の動作周波数帯域を高域とすると共に、無給電素子の動作周波数帯域を低域として、全体として広帯域において動作するようにさせてもよい。また、動作させる周波数帯域の広さに応じて無給電素子が動作する周波数帯を決めることにより、所望の広さの周波数帯域の全体に亘り良好に動作するループアンテナとすることができる。なお、以上の説明ではループ素子と無給電素子との間隔と約１ｍｍとしたが、これに限るものではなくループ素子に無給電素子が電磁気的に結合する間隔であればよい。また、本発明のループアンテナにおいては、ループ素子から外側に折曲されて延伸されることにより給電点が形成されていたが、外側に限らず内側や横方向に折曲して延伸することにより給電点を形成するようにしてもよい。
【産業上の利用可能性】
【００８４】
以上の説明では、第５実施例のループアンテナ５ないし第１４実施例のループアンテナ１８は矩形状の双ループ素子を備えるようにしたが、これに限るものではなくひし形、長方形、円形の双ループ素子としても良い。また、本発明にかかるループアンテナにおいて、無給電素子はループ素子に電磁気的に結合していると共に、結合度に応じて電気的特性が変化することから、無給電素子の位置は得たい電気的特性に応じて適宜決定することができる。
【図面の簡単な説明】
【００８５】
【図１】本発明の第１実施例のループアンテナの構成を示す正面図である。
【図２】本発明の第１実施例のループアンテナの構成を示す側面図である。
【図３】本発明の第１実施例のループアンテナにおけるゲインの周波数特性を示す図である。
【図４】本発明の第１実施例のループアンテナにおける反射損失の周波数特性を示す図である。
【図５】本発明の第２実施例のループアンテナの構成を示す正面図である。
【図６】本発明の第２実施例のループアンテナの構成を示す側面図である。
【図７】本発明の第２実施例のループアンテナにおけるゲインの周波数特性を示す図である。
【図８】本発明の第２実施例のループアンテナにおける反射損失の周波数特性を示す図である。
【図９】本発明の第３実施例のループアンテナの構成を示す正面図である。
【図１０】本発明の第３実施例のループアンテナの構成を示す側面図である。
【図１１】本発明の第３実施例のループアンテナにおけるゲインの周波数特性を示す図である。
【図１２】本発明の第３実施例のループアンテナにおける反射損失の周波数特性を示す図である。
【図１３】本発明の第４実施例のループアンテナの構成を示す正面図である。
【図１４】本発明の第４実施例のループアンテナの構成を示す側面図である。
【図１５】本発明の第４実施例のループアンテナにおけるゲインの周波数特性を示す図である。
【図１６】本発明の第４実施例のループアンテナにおける反射損失の周波数特性を示す図である。
【図１７】本発明の第５実施例のループアンテナの構成を示す正面図である。
【図１８】本発明の第５実施例のループアンテナの構成を示す側面図である。
【図１９】本発明の第５実施例のループアンテナにおいて無給電素子を第１の位置とした際のゲインの周波数特性を示す図である。
【図２０】本発明の第５実施例のループアンテナにおいて無給電素子を第１の位置とした際の反射損失の周波数特性を示す図である。
【図２１】本発明の第５実施例のループアンテナにおいて無給電素子を第２の位置とした際のゲインの周波数特性を示す図である。
【図２２】本発明の第５実施例のループアンテナにおいて無給電素子を第２の位置とした際の反射損失の周波数特性を示す図である。
【図２３】本発明の第５実施例のループアンテナにおいて無給電素子を第３の位置とした際のゲインの周波数特性を示す図である。
【図２４】本発明の第５実施例のループアンテナにおいて無給電素子を第３の位置とした際の反射損失の周波数特性を示す図である。
【図２５】本発明の第５実施例のループアンテナにおいて無給電素子を第４の位置とした際のゲインの周波数特性を示す図である。
【図２６】本発明の第５実施例のループアンテナにおいて無給電素子を第４の位置とした際の反射損失の周波数特性を示す図である。
【図２７】本発明の第５実施例のループアンテナにおいて無給電素子を第５の位置とした際のゲインの周波数特性を示す図である。
【図２８】本発明の第５実施例のループアンテナにおいて無給電素子を第５の位置とした際の反射損失の周波数特性を示す図である。
【図２９】本発明の第５実施例のループアンテナにおいて無給電素子を第６の位置とした際のゲインの周波数特性を示す図である。
【図３０】本発明の第５実施例のループアンテナにおいて無給電素子を第６の位置とした際の反射損失の周波数特性を示す図である。
【図３１】本発明の第５実施例のループアンテナにおいて無給電素子を第７の位置とした際のゲインの周波数特性を示す図である。
【図３２】本発明の第５実施例のループアンテナにおいて無給電素子を第７の位置とした際の反射損失の周波数特性を示す図である。
【図３３】本発明の第５実施例のループアンテナにおいて無給電素子の長さを第１の長さとした際のゲインの周波数特性を示す図である。
【図３４】本発明の第５実施例のループアンテナにおいて無給電素子の長さを第１の長さとした際の反射損失の周波数特性を示す図である。
【図３５】本発明の第５実施例のループアンテナにおいて無給電素子の長さを第２の長さとした際のゲインの周波数特性を示す図である。
【図３６】本発明の第５実施例のループアンテナにおいて無給電素子の長さを第２の長さとした際の反射損失の周波数特性を示す図である。
【図３７】本発明の第５実施例のループアンテナにおいて無給電素子の長さを第３の長さとした際のゲインの周波数特性を示す図である。
【図３８】本発明の第５実施例のループアンテナにおいて無給電素子の長さを第３の長さとした際の反射損失の周波数特性を示す図である。
【図３９】本発明の第５実施例のループアンテナにおいて無給電素子の長さを第４の長さとした際のゲインの周波数特性を示す図である。
【図４０】本発明の第５実施例のループアンテナにおいて無給電素子の長さを第４の長さとした際の反射損失の周波数特性を示す図である。
【図４１】本発明の第５実施例のループアンテナにおいて無給電素子の長さを第５の長さとした際のゲインの周波数特性を示す図である。
【図４２】本発明の第５実施例のループアンテナにおいて無給電素子の長さを第５の長さとした際の反射損失の周波数特性を示す図である。
【図４３】本発明の第５実施例のループアンテナにおいて無給電素子の長さを第６の長さとした際のゲインの周波数特性を示す図である。
【図４４】本発明の第５実施例のループアンテナにおいて無給電素子の長さを第６の長さとした際の反射損失の周波数特性を示す図である。
【図４５】本発明の第５実施例の変形例のループアンテナの構成を示す正面図である。
【図４６】本発明の第５実施例の変形例のループアンテナの構成を示す側面図である。
【図４７】本発明の第５実施例の変形例のループアンテナにおいて無給電素子の径を第１の径とした際のゲインの周波数特性を示す図である。
【図４８】本発明の第５実施例の変形例のループアンテナにおいて無給電素子の径を第１の径とした際の反射損失の周波数特性を示す図である。
【図４９】本発明の第５実施例の変形例のループアンテナにおいて無給電素子の径を第２の径とした際のゲインの周波数特性を示す図である。
【図５０】本発明の第５実施例の変形例のループアンテナにおいて無給電素子の径を第２の径とした際の反射損失の周波数特性を示す図である。
【図５１】本発明の第５実施例の変形例のループアンテナにおいて無給電素子の径を第３の径とした際のゲインの周波数特性を示す図である。
【図５２】本発明の第５実施例の変形例のループアンテナにおいて無給電素子の径を第３の径とした際の反射損失の周波数特性を示す図である。
【図５３】本発明の第６実施例のループアンテナの構成を示す正面図である。
【図５４】本発明の第６実施例のループアンテナの構成を示す側面図である。
【図５５】本発明の第６実施例のループアンテナにおいて無給電素子の幅を第１の幅とした際のゲインの周波数特性を示す図である。
【図５６】本発明の第６実施例のループアンテナにおいて無給電素子の幅を第１の幅とした際の反射損失の周波数特性を示す図である。
【図５７】本発明の第６実施例のループアンテナにおいて無給電素子の幅を第２の幅とした際のゲインの周波数特性を示す図である。
【図５８】本発明の第６実施例のループアンテナにおいて無給電素子の幅を第２の幅とした際の反射損失の周波数特性を示す図である。
【図５９】本発明の第６実施例のループアンテナにおいて無給電素子の幅を第３の幅とした際のゲインの周波数特性を示す図である。
【図６０】本発明の第６実施例のループアンテナにおいて無給電素子の幅を第３の幅とした際の反射損失の周波数特性を示す図である。
【図６１】本発明の第６実施例のループアンテナにおいて無給電素子の幅を第４の幅とした際のゲインの周波数特性を示す図である。
【図６２】本発明の第６実施例のループアンテナにおいて無給電素子の幅を第４の幅とした際の反射損失の周波数特性を示す図である。
【図６３】本発明の第６実施例のループアンテナにおいて無給電素子の幅を第５の幅とした際のゲインの周波数特性を示す図である。
【図６４】本発明の第６実施例のループアンテナにおいて無給電素子の幅を第５の幅とした際の反射損失の周波数特性を示す図である。
【図６５】本発明の第７実施例のループアンテナの構成を示す正面図である。
【図６６】本発明の第７実施例のループアンテナの構成を示す側面図である。
【図６７】本発明の第７実施例のループアンテナにおけるゲインの周波数特性を示す図である。
【図６８】本発明の第７実施例のループアンテナにおける反射損失の周波数特性を示す図である。
【図６９】本発明の第８実施例のループアンテナの構成を示す正面図である。
【図７０】本発明の第８実施例のループアンテナの結合部を拡大して示す図である。
【図７１】本発明の第８実施例のループアンテナにおけるゲインの周波数特性を示す図である。
【図７２】本発明の第８実施例のループアンテナにおける反射損失の周波数特性を示す図である。
【図７３】本発明の第９実施例のループアンテナの構成を示す正面図である。
【図７４】本発明の第９実施例のループアンテナの結合部を拡大して示す図である。
【図７５】本発明の第９実施例のループアンテナにおけるゲインの周波数特性を示す図である。
【図７６】本発明の第９実施例のループアンテナにおける反射損失の周波数特性を示す図である。
【図７７】本発明の第１０実施例のループアンテナの構成を示す正面図である。
【図７８】本発明の第１０実施例のループアンテナの結合部を拡大して示す図である。
【図７９】本発明の第１０実施例のループアンテナにおけるゲインの周波数特性を示す図である。
【図８０】本発明の第１０実施例のループアンテナにおける反射損失の周波数特性を示す図である。
【図８１】本発明の第１０実施例の変形例のループアンテナの構成を示す正面図である。
【図８２】本発明の第１０実施例の変形例のループアンテナの結合部を拡大して示す図である。
【図８３】本発明の第１０実施例の変形例のループアンテナにおけるゲインの周波数特性を示す図である。
【図８４】本発明の第１０実施例の変形例のループアンテナにおける反射損失の周波数特性を示す図である。
【図８５】本発明の第１１実施例のループアンテナの構成を示す正面図である。
【図８６】本発明の第１１実施例のループアンテナの結合部を拡大して示す図である。
【図８７】本発明の第１１実施例のループアンテナにおけるゲインの周波数特性を示す図である。
【図８８】本発明の第１１実施例のループアンテナにおける反射損失の周波数特性を示す図である。
【図８９】本発明の第１２実施例のループアンテナの構成を示す正面図である。
【図９０】本発明の第１２実施例のループアンテナの構成を示す側面図である。
【図９１】本発明の第１２実施例のループアンテナにおけるゲインの周波数特性を示す図である。
【図９２】本発明の第１２実施例のループアンテナにおける反射損失の周波数特性を示す図である。
【図９３】本発明の第７実施例の変形例のループアンテナの構成を示す正面図である。
【図９４】本発明の第７実施例の変形例のループアンテナの構成を示す側面図である。
【図９５】本発明の第１３実施例のループアンテナにおけるゲインの周波数特性を示す図である。
【図９６】本発明の第１３実施例のループアンテナにおける反射損失の周波数特性を示す図である。
【図９７】本発明の第５実施例の変形例のループアンテナの構成を示す正面図である。
【図９８】本発明の第５実施例の変形例のループアンテナの構成を示す側面図である。
【図９９】本発明の第１４実施例の変形例のループアンテナの構成を示す正面図である。
【図１００】本発明の第１４実施例の変形例のループアンテナの構成を示す側面図である。
【図１０１】無給電素子を備える本発明のループアンテナの等価回路図である。
【図１０２】従来のループアンテナの一例の構成を示す正面図である。
【図１０３】従来のループアンテナの一例の構成を示す側面図である。
【図１０４】従来のループアンテナの一例におけるゲインの周波数特性を示す図である。
【図１０５】従来のループアンテナの一例における反射損失の周波数特性を示す図である。
【図１０６】従来のループアンテナの他の例の構成を示す正面図である。
【図１０７】従来のループアンテナの他の例におけるゲインの周波数特性を示す図である。
【図１０８】従来のループアンテナの他の例における反射損失の周波数特性を示す図である。
【図１０９】従来のループアンテナの他の例の構成を示す正面図である。
【図１１０】従来のループアンテナの他の例におけるゲインの周波数特性を示す図である。
【図１１１】従来のループアンテナの他の例における反射損失の周波数特性を示す図である。
【図１１２】従来のループアンテナの他の例の構成を示す正面図である。
【図１１３】従来のループアンテナの他の例におけるゲインの周波数特性を示す図である。
【図１１４】従来のループアンテナの他の例における反射損失の周波数特性を示す図である。
【図１１５】従来のループアンテナの他の例の構成を示す正面図である。
【図１１６】従来のループアンテナの他の例におけるゲインの周波数特性を示す図である。
【図１１７】従来のループアンテナの他の例における反射損失の周波数特性を示す図である。
【図１１８】従来のループアンテナのさらに他の例の構成を示す正面図である。
【図１１９】従来のループアンテナのさらに他の例の構成を示す正面図である。
【符号の説明】
【００８６】
１  ループアンテナ、１ａ  ループ素子、１ｂ  無給電素子、１ｃ  給電点、２  ループアンテナ、２ａ  ループ素子、２ｂ  無給電素子、２ｃ  給電点、３  ループアンテナ、３ａ  ループ素子、３ｂ  無給電素子、３ｃ  給電点、４  ループアンテナ、４ａ  ループ素子、４ｂ  無給電素子、４ｃ  給電点、５  ループアンテナ、５ａ  ループ素子、５ａ  双ループ素子、５ｂ  無給電素子、５ｃ  給電点、６  ループアンテナ、６ａ  双ループ素子、６ｂ  無給電素子、６ｃ  給電点、７  ループアンテナ、７ａ  双ループ素子、７ｂ  無給電素子、７ｃ  給電点、８  ループアンテナ、８ａ  双ループ素子、８ｂ  第１無給電素子、８ｃ  第２無給電素子、８ｄ  給電点、９  ループアンテナ、９ａ  双ループ素子、９ｂ  結合部、９ｂ１  Ｒコイル部、９ｂ２  Ｌコイル部、９ｃ１  給電点、９ｃ２  給電点、１０  ループアンテナ、１０ａ  双ループ素子、１０ｂ  コイル部、１０ｂ  結合部、１０ｂ１  Ｒコイル部、１０ｂ２  Ｌコイル部、１０ｃ  給電点、１０ｃ１  給電点、１０ｃ２  給電点、１１  ループアンテナ、１１ａ  双ループ素子、１１ｂ  結合部、１１ｂ１  Ｒコイル部、１１ｂ２  Ｌコイル部、１１ｃ  給電点、１１ｃ１  給電点、１１ｃ２  給電点、１２  ループアンテナ、１２ａ  双ループ素子、１２ｂ  結合部、１２ｂ１  Ｒコイル部、１２ｂ２  Ｌコイル部、１２ｃ  給電点、１２ｃ１  給電点、１２ｃ２  給電点、１３  パッチアンテナ、１３  ループアンテナ、１３ａ  双ループ素子、１３ｂ  結合部、１３ｂ１  Ｒコイル部、１３ｂ２  Ｌコイル部、１３ｃ  給電点、１３ｃ１  給電点、１３ｃ２  給電点、１４  ループアンテナ、１４ａ  双ループ素子、１４ｂ  結合部、１４ｃ  無給電素子、１４ｄ  給電点、１５  ループアンテナ、１５ａ  双ループ素子、１５ｂ  第１無給電素子、１５ｃ  第２無給電素子、１５ｄ  給電点、１６  ループアンテナ、１６ａ  双ループ素子、１６ｂ  第１無給電素子、１６ｃ  第２無給電素子、１６ｄ  給電点、１７  ループアンテナ、１７ａ  双ループ素子、１７ｂ  無給電素子、１７ｃ  給電点、１８  ループアンテナ、１８ａ１  第１ループ素子、１８ａ２  第２ループ素子、１８ｂ  無給電素子、１８ｄ  給電点、２０  ループアンテナ、２０ａ  ループ素子、２０ｂ  無給電素子、２２  給電点、１００  ループアンテナ、１００ａ  ループ素子、１００ｂ  給電点、１０１  ループアンテナ、１０１ａ  ループ素子、１０１ｂ  給電点、１０２  ループアンテナ、１０２ａ  ループ素子、１０２ｂ  給電点、１０３  ループアンテナ、１０３ａ  ループ素子、１０３ｂ  給電点、１０４  ループアンテナ、１０４ａ  双ループ素子、１０４ｂ  給電点、１０５  ループアンテナ、１０５ａ  ループ素子、１０６  ループアンテナ、１０６ａ  ループ素子、Ｃ１  コンデンサ、Ｃ２  コンデンサ、Ｌ１  コイル、Ｌ２  コイル、Ｌ３  コイル、Ｌ４  コイル、Ｒ１  抵抗、Ｒ２  抵抗
【図１】
2006295545.tif 000003
【図２】
2006295545.tif 000004
【図３】
2006295545.tif 000005
【図４】
2006295545.tif 000006
【図５】
2006295545.tif 000007
【図６】
2006295545.tif 000008
【図７】
2006295545.tif 000009
【図８】
2006295545.tif 000010
【図９】
2006295545.tif 000011
【図１０】
2006295545.tif 000012
【図１１】
2006295545.tif 000013
【図１２】
2006295545.tif 000014
【図１３】
2006295545.tif 000015
【図１４】
2006295545.tif 000016
【図１５】
2006295545.tif 000017
【図１６】
2006295545.tif 000018
【図１７】
2006295545.tif 000019
【図１８】
2006295545.tif 000020
【図１９】
2006295545.tif 000021
【図２０】
2006295545.tif 000022
【図２１】
2006295545.tif 000023
【図２２】
2006295545.tif 000024
【図２３】
2006295545.tif 000025
【図２４】
2006295545.tif 000026
【図２５】
2006295545.tif 000027
【図２６】
2006295545.tif 000028
【図２７】
2006295545.tif 000029
【図２８】
2006295545.tif 000030
【図２９】
2006295545.tif 000031
【図３０】
2006295545.tif 000032
【図３１】
2006295545.tif 000033
【図３２】
2006295545.tif 000034
【図３３】
2006295545.tif 000035
【図３４】
2006295545.tif 000036
【図３５】
2006295545.tif 000037
【図３６】
2006295545.tif 000038
【図３７】
2006295545.tif 000039
【図３８】
2006295545.tif 000040
【図３９】
2006295545.tif 000041
【図４０】
2006295545.tif 000042
【図４１】
2006295545.tif 000043
【図４２】
2006295545.tif 000044
【図４３】
2006295545.tif 000045
【図４４】
2006295545.tif 000046
【図４５】
2006295545.tif 000047
【図４６】
2006295545.tif 000048
【図４７】
2006295545.tif 000049
【図４８】
2006295545.tif 000050
【図４９】
2006295545.tif 000051
【図５０】
2006295545.tif 000052
【図５１】
2006295545.tif 000053
【図５２】
2006295545.tif 000054
【図５３】
2006295545.tif 000055
【図５４】
2006295545.tif 000056
【図５５】
2006295545.tif 000057
【図５６】
2006295545.tif 000058
【図５７】
2006295545.tif 000059
【図５８】
2006295545.tif 000060
【図５９】
2006295545.tif 000061
【図６０】
2006295545.tif 000062
【図６１】
2006295545.tif 000063
【図６２】
2006295545.tif 000064
【図６３】
2006295545.tif 000065
【図６４】
2006295545.tif 000066
【図６５】
2006295545.tif 000067
【図６６】
2006295545.tif 000068
【図６７】
2006295545.tif 000069
【図６８】
2006295545.tif 000070
【図６９】
2006295545.tif 000071
【図７０】
2006295545.tif 000072
【図７１】
2006295545.tif 000073
【図７２】
2006295545.tif 000074
【図７３】
2006295545.tif 000075
【図７４】
2006295545.tif 000076
【図７５】
2006295545.tif 000077
【図７６】
2006295545.tif 000078
【図７７】
2006295545.tif 000079
【図７８】
2006295545.tif 000080
【図７９】
2006295545.tif 000081
【図８０】
2006295545.tif 000082
【図８１】
2006295545.tif 000083
【図８２】
2006295545.tif 000084
【図８３】
2006295545.tif 000085
【図８４】
2006295545.tif 000086
【図８５】
2006295545.tif 000087
【図８６】
2006295545.tif 000088
【図８７】
2006295545.tif 000089
【図８８】
2006295545.tif 000090
【図８９】
2006295545.tif 000091
【図９０】
2006295545.tif 000092
【図９１】
2006295545.tif 000093
【図９２】
2006295545.tif 000094
【図９３】
2006295545.tif 000095
【図９４】
2006295545.tif 000096
【図９５】
2006295545.tif 000097
【図９６】
2006295545.tif 000098
【図９７】
2006295545.tif 000099
【図９８】
2006295545.tif 000100
【図９９】
2006295545.tif 000101
【図１００】
2006295545.tif 000102
【図１０１】
2006295545.tif 000103
【図１０２】
2006295545.tif 000104
【図１０３】
2006295545.tif 000105
【図１０４】
2006295545.tif 000106
【図１０５】
2006295545.tif 000107
【図１０６】
2006295545.tif 000108
【図１０７】
2006295545.tif 000109
【図１０８】
2006295545.tif 000110
【図１０９】
2006295545.tif 000111
【図１１０】
2006295545.tif 000112
【図１１１】
2006295545.tif 000113
【図１１２】
2006295545.tif 000114
【図１１３】
2006295545.tif 000115
【図１１４】
2006295545.tif 000116
【図１１５】
2006295545.tif 000117
【図１１６】
2006295545.tif 000118
【図１１７】
2006295545.tif 000119
【図１１８】
2006295545.tif 000120
【図１１９】
2006295545.tif 000121